(57)【要約】【課題】  電子機器の制御用プログラムのアクセス作業を電子機器が設置されている場所で容易に実施することを可能にし、迅速な制御用プログラムのアクセス作業の提供を可能とする電子機器におけるコネクタの配置構造、及び、当該配置構造を備えた電子機器を提供することにある。【解決手段】  本発明の電子機器におけるコネクタの配置構造は、筺体部と、基板と、制御用プログラムが格納されたメモリと、外部機器とメモリとをＣＰＵを介して接続するコネクタと、制御用プログラムにより駆動制御される機器本体とを含む電子機器におけるコネクタの配置構造において、コネクタを、機器本体が筺体部に載置された状態で接続可能な位置に配置したことを特徴とする。これにより、機器本体を分解することなく電子機器の制御用プログラムのアクセス作業を行うことができる。【選択図】  図４
2005251464.tif 000002
【特許請求の範囲】
【請求項１】
筺体部と、
該筺体部に配置される基板と、
該基板上に設けられ、制御用プログラムが格納されたメモリと、
前記制御用プログラムにアクセスするために外部機器と前記メモリとをＣＰＵを介して接続するコネクタと、
前記基板を略覆うように前記筺体部に載置され、該状態で前記制御用プログラムにより駆動制御される機器本体とを含む電子機器における前記コネクタの配置構造において、
前記コネクタを、前記機器本体が前記筺体部に載置された状態で前記外部機器と接続可能な位置に配置したことを特徴とするコネクタの配置構造。
【請求項２】
前記コネクタは、前記基板上に設けられることを特徴とする請求項１に記載のコネクタの配置構造。
【請求項３】
前記機器本体が前記筺体部に載置された状態で前記基板の前記機器本体から露出した部分に前記コネクタを載置したことを特徴とする請求項１又は２に記載のコネクタの配置構造。
【請求項４】
更に、前記筺体部に形成された開閉部を有し、該開閉部を介して前記外部機器と接続可能な位置に前記コネクタを配置したことを特徴とする請求項１乃至３に記載のコネクタの配置構造。
【請求項５】
請求項１乃至４に記載のコネクタの配置構造を備えたことを特徴とする電子機器。
【発明の詳細な説明】
【技術分野】
【０００１】
本発明は、電子機器におけるコネクタの配置構造、及び、当該配置構造を備えた電子機器に関する。
【背景技術】
【０００２】
例えば、プリンタ等に代表される電子機器は、ＲＯＭ等のメモリに格納された制御用プログラムにより駆動制御される。該制御用プログラムにバグ等の障害が発生すると、電子機器は正常に作動しないので、該制御用プログラムにアクセスし、該制御用プログラムの補修が必要となる。通常、制御用プログラムのアクセス（補修）作業では、先ず、電子機器の筺体や機器本体を分解し、ＲＯＭが実装されるメイン基板が取り出される。次に、当該メイン基板を電子機器の機器本体の外に設置し、機器本体とメインテナンス機器（外部機器）をメイン基板に接続した状態で、制御用プログラムの補修作業を実施していた。
【０００３】
例えば、図４に示す記録装置（プリンタ）では、メイン基板はプリンタの底部付近に配設されており、当該メイン基板には、制御用プログラムにアクセスする際に外部機器を接続する符号４１ａで示すプログラム用コネクタが配設されている。特許文献１には、制御基板（メイン基板）とこれに隣接して電源基板が記録装置の底部付近に配置され、当該制御基板と電源基板はシールドプレートにより覆われた実施形態が記載されている。また、特許文献２には、回路基板の一縁部にコネクタ部を配置した構成が記載されている。
【０００４】
このような、従来のプリンタにおける制御用プログラムのデバッグ処理では、先ず、プリンタの筺体が取り外され、機器本体が分解され、メイン基板が機器本体の外に取り出される。次に、該メイン基板は機器本体の外に設置され、メイン基板は機器本体と再度接続された後、ＩＣＥ（Ｉｎ  Ｃｉｒｃｕｉｔ  Ｅｍｕｌａｔｏｒ）、ＩＣＤ（Ｉｎ  Ｃｉｒｃｕｉｔ  Ｄｅｂｕｇｇｅｒ）等のデバッグ用外部機器がメイン基板に設けられた当該プログラム用コネクタに接続された状態で、制御用プログラムのデバッグ処理は行われていた。
【０００５】
【特許文献１】特開２００２−９６５３３号公報
【特許文献２】実開平５−４５９６０号公報
【発明の開示】
【発明が解決しようとする課題】
【０００６】
上述した、プリンタに代表される従来の電子機器において、デバッグ等の制御用プログラムの補修作業では、先ず、電子機器の機器本体が分解され、メイン基板はいったん取り出された後、メイン基板は機器本体の外に設置される。次に、機器本体及び外部機器がメイン基板に接続された状態で、制御用プログラムのアクセス作業は実施されていた。このため、電子機器の機器本体とメイン基板との接続を確保するための接続ハーネスの延長が必要となったり、大規模な機器本体の分解作業が必要となる場合があり、従来、このような制御用プログラムのアクセス作業は電子機器が設置されている場所で実施されることは困難であった。
【０００７】
本発明は、上述した事情からなされたものであり、本発明の目的は、電子機器の制御用プログラムのアクセス作業を電子機器が設置されている場所で容易に実施することを可能にし、迅速な制御用プログラムのアクセス作業の提供を可能とする電子機器におけるコネクタの配置構造、及び、当該配置構造を備えた電子機器を提供することにある。
【課題を解決するための手段】
【０００８】
上記目的達成のため、本発明の電子機器におけるコネクタの配置構造は、筺体部と、該筺体部に配置される基板と、該基板上に設けられ、制御用プログラムが格納されたメモリと、前記制御用プログラムにアクセスするために外部機器と前記メモリとをＣＰＵを介して接続するコネクタと、前記基板を略覆うように前記筺体部に載置され、該状態で前記制御用プログラムにより駆動制御される機器本体とを含む電子機器における前記コネクタの配置構造において、前記コネクタを、前記機器本体が前記筺体部に載置された状態で前記外部機器と接続可能な位置に配置したことを特徴としている。
【０００９】
これにより、前記機器本体を分解することなく前記電子機器の前記制御用プログラムのアクセス作業を行うことができ、当該アクセス作業を前記電子機器が設置されている場所で容易に実施することが可能となり、迅速な前記制御用プログラムのアクセス作業の提供を実現することができる。
【００１０】
また、本発明の電子機器におけるコネクタの配置構造は、前記コネクタは、前記基板上に設けられることを特徴としている。これにより、前記メモリと前記コネクタのＣＰＵを介した接続を確実にすることができ、更に、前記コネクタを新たに配置する場合でも、前記基板以外に設ける場合に比べ少ないコストで前記コネクタを配置することが可能である。
また、本発明の電子機器におけるコネクタの配置構造は、前記機器本体が前記筺体部に載置された状態で前記基板の前記機器本体から露出した部分に前記コネクタを載置したことを特徴としている。これにより、前記コネクタへの接続が更に容易となり、前記電子機器の前記制御用プログラムのアクセス作業を更に容易に行うことが可能となる。
【００１１】
また、本発明の電子機器におけるコネクタの配置構造は、更に、前記筺体部に形成された開閉部を有し、該開閉部を介して前記外部機器と接続可能な位置に前記コネクタを配置したことを特徴としている。これにより、前記電子機器の外観デザインを損なうことなく、前記コネクタを前記機器本体が前記筺体部に載置された状態で前記外部機器と接続可能な位置に配置することができる。
【００１２】
更に、本発明の電子機器は、前記配置構造を備えたことを特徴としている。これにより、前記機器本体を分解することなく前記電子機器の前記制御用プログラムのアクセス作業を行うことができ、当該アクセス作業を前記電子機器が設置されている場所で容易に実施することが可能な電子機器を提供し得る。
【発明を実施するための最良の形態】
【００１３】
以下、本発明に係る「電子機器」の一例としてインパクトプリンタ（以下、「記録装置１０」と言う）を取り上げて、本発明の第１及び第２の実施形態について、図１乃至図６を参照しながら説明する。なお、以下に説明する第１及び第２の実施形態は特許請求の範囲にかかる発明を限定するものではなく、また実施形態の中で説明されている特徴の組み合わせの全てが発明の解決手段に必須であるとは限らない。
【００１４】
はじめに、本発明の第１の実施形態について、図１乃至図５を参照しながら説明する。図１は、本発明の第１の実施形態に係る記録装置１０の外観を示す正面斜視図である。図1に示す記録装置１０は、記録装置１０の筺体部を略構成する上部カバー１２、上部ハウジング１３、及び、下部ハウジング１４を有し、記録装置１０の前面には開口した挿入口１８が設けられている。この挿入口１８へ被記録物１００が挿入されると、記録装置１０により被記録物１００に記録が行われ、被記録物１００が挿入口１８から排出される。
【００１５】
被記録物１００が詰まった場合の処置等のために、上部ハウジング１３は開閉できるようになっている。ここで、被記録物１００は、所定の長さに裁断された単票紙、フィルム、複数枚の用紙が重ね合わされた複写紙、通帳などである。以下、被記録物１００の一例として、複数の記録用紙が綴じられ、記録用紙の記録面を開いた場合の底面に磁気ストライプ１１０が設けられた通帳を用いて、記録装置１０について説明する。
【００１６】
図２は、記録装置１０から上部カバー１２、上部ハウジング１３及び下部ハウジング１４を取り外した記録装置１０の機器本体１５を示す斜視図である。図２に示すように、記録装置１０の機器本体は、挿入口１８から挿入された被記録物１００を搬送する搬送部２１と、磁気情報読書き時に被記録物１００の浮き上がりを上から押える被記録物押え部２２と、被記録物１００に設けられた磁気ストライプ１１０の磁気情報を読み取り又は書き込む磁気データ読取部２３と、被記録物１００を下方から支持するプラテン部２４と、プラテン部２４に対向して配され、リボンカセット２５を用いて被記録物１００に記録を行う記録部２０とを備える。
【００１７】
搬送部２１は、記録部２０よりも手前で本体部１１に支持された図示しないフロント加圧部と、このフロント加圧部の下方に対向して本体部１１に配された図示しないフロント搬送部を有する。また、プラテン部２４が配される本体部１１に対し、記録部２０が配された本体上部１６は開閉することができ、被記録物１００が本体部１１と本体上部１６との間において詰まった場合には、被記録物１００を容易に取り除くことができる。
【００１８】
磁気データ読取部２３は、本体前部１７に支持され、本体前部１７の長手方向（図２における記録装置１０の左右方向）に移動して被記録物１００の底面に配された磁気ストライプ１１０から磁気情報を読み取る。
【００１９】
図２における本体前部１７の略右半分下方には、後述するメイン基板４０の各種コネクタに接続された各種ハーネス４６（第１のハーネス４６ａ、第２のハーネス４６ｂ、第３のハーネス４６ｃ）が描かれている。各種ハーネス４６は、メイン回路４０に設けられたコネクタ領域４１（図３参照）に集中的に配設された各種コネクタと当該コネクタに対応する各種部品や機構を接続する。なお、メイン回路４０に設けられたコネクタ領域４１についての詳細は後述する。
【００２０】
次に、記録装置１０の動作の概略を説明する。まず、被記録物１００が挿入口１８から挿入されると、搬送部２１のフロント加圧部とフロント搬送部が、被記録物１００を挟んでプラテン部２４の手前まで搬送する。その位置において、被記録物１００の搬送方向の傾きを直すべく、被記録物１００が整列される。被記録物１００が整列された後に、被記録物１００の底面に配された磁気ストライプ１１０が磁気データ読取部２３により読み取られる読み取り位置まで、搬送部２１が被記録物１００を搬送する。
【００２１】
その後、磁気データ読取部２３が、本体前部１７の長手方向に移動して被記録物１００の底面に配された磁気ストライプ１１０から磁気情報を読み取る。さらに、搬送部２１が被記録物１００をプラテン部２４上の記録位置まで搬送する。磁気データ読取部２３により読み取られた磁気情報に基づいて、記録部２０は、被記録物１００上を本体部１１の長手方向（図２における左右方向）に移動しつつ、プラテン部２４上に搬送された被記録物１００へ、リボンカセット２５のインクリボンを介して記録部２０のワイヤを打ち当てることにより、被記録物１００へ文字などの記録を行う。
【００２２】
その後、上記読み取り位置まで、搬送部２１が被記録物１００を搬送する。被記録物１００へ記録した情報に基づいて、磁気データ読取部２３が、本体前部１７の長手方向を再度移動して、磁気ストライプ１１０に磁気情報を書き込む。そして、搬送部２１が被記録物１００を手前側に搬送し、被記録物１００を挿入口１８から排出する。
【００２３】
次に、記録装置１０のメイン基板４０と電源基板５０、及び、これらメイン基板４０と電源基板５０に実装された各種電子部品を取り囲むシールドケース３０について、図３及び図４を参照して説明する。
【００２４】
図３は、図２からさらに、本体部１１、本体上部１６等の機器本体１５を取り外した記録装置１０のシールドケース３０とその周辺部を示す斜視図である。図４は、図３から、上部シールドプレート３１と前部シールドプレート３２等を取り外した記録装置１０のメイン基板４０と電源基板５０及びその周辺付近を示す斜視図である。
【００２５】
図３に示すシールドケース３０は、上部シールドプレート３１、前部シールドプレート３２、右側面シールドプレート３３、図４に示す左側面シールドプレート３４、後部シールドプレート３５、下部シールドプレート３６より略構成される。シールドケース３０は、メイン基板４０と電源基板５０に実装された各種電子部品と所定の間隔を有して、記録装置１０に固定される。
【００２６】
シールドケース３０は、電子部品から放射される電磁波や、或いは外部から該電子部品に入射される電磁波を遮蔽し、記録装置１０の誤作動防止の効果を果たす。また、発熱を伴う電子部品もシールドケース３０で覆われているので、記録装置１０の燃焼を防止する安全上の効果も果たしている。シールドケース３０は、導電性を有する板材（シールドプレート）によって形成され、本実施形態においてはメッキ鋼板が用いられている。しかし、電磁波を遮断する性能（電磁波シールド機能）を有すれば、メッキ鋼板以外の材料であってもよい。  
図３に示すように、上部シールドプレート３１は、第１水平部３１ａ、中間部３１ｂ、第２水平部３１ｃより構成される。第１水平部３１ａは、記録装置１０の中央付近から記録装置１０の後部に向かい水平方向に広がる略矩形の平板である。中間部３１ｂは、第１水平部３１ａに連結され、第１水平部３１ａより記録装置１０の前部に向かい斜め下方向に広がる略矩形の平板である。第２水平部３１ｃは、中間部３１ｂに連結され、中間部３１ｂより更に記録装置１０の前部に向かい水平方向に広がる略矩形の平板である。
【００２７】
前部シールドプレート３２は、第２水平部３１ｃに連結され、垂直方向に広がる略矩形の平板である。前部シールドプレート３２には、たくさんの換気孔３２ａが設けられ、メイン基板４０と電源基板５０に実装された各種電子部品より発生した熱により暖められた空気の対流を容易にする。
【００２８】
図３に示す前部シールドプレート３２の略右半分前方には、メイン基板４０のコネクタ領域４１が配設されている。コネクタ領域４１は、前述した各種ハーネス４６（図２参照）が接続される各種コネクタが集中的に配設されたメイン基板４０の領域である。各種コネクタには、本発明の実施形態に係る第２のプログラム用コネクタ４１ｂが含まれる。前述したように、メイン基板４０と電源基板５０に実装された各種電子部品はシールドケース３０により囲まれているので、メイン基板４０のコネクタ領域４１をシールドケース３０の外側に配設することにより、記録装置１０の組み立て作業を容易にすることができる。コネクタ領域４１には、電磁波を発生する部品や燃焼の可能性がある部品は実装されておらず、コネクタ領域４１をシールドケース３０の外側に配設しても電磁波による記録装置１０誤作動の発生や燃焼防止等の安全規格上の問題も生じない。なお、図３に示すコネクタ領域４１は、各種コネクタに接続された各種ハーネス４６の記載は省略されている。図４に示すコネクタ領域４１も同様である。
【００２９】
次に、記録装置１０のメイン基板４０と電源基板５０について、図４を参照して説明する。図４の中央右付近には、パワー系部品やロジック系部品が実装され、記録装置１０の制御部を主に構成するメイン基板４０が水平方向に配設されている。メイン基板４０の左隣りには、電源の１次側部品群５１が実装される電源基板５０が水平方向に配設されている。
【００３０】
メイン基板４０は、前述した各種コネクタが集中的に配設されるコネクタ領域４１、パワー系部品が実装されるパワー系部品実装領域４２、ロジック系部品が実装されるロジック系部品実装領域４３を含む。
【００３１】
コネクタ領域４１は、シールドケース３０には覆われておらず（図３参照）、記録装置１０から下部ハウジング１４を取り外せば、記録装置１０の機器本体１５を分解することなく、機器本体１５の外部からコネクタ領域４１への接続が可能な構成を記録装置１０は採用する（図２参照）。
【００３２】
パワー系部品実装領域４２には、モータードライバ、ヘッドドライバ等のパワー系部品、これらより発生する熱を放出させるためのヒートシンク４２ａ、４２ｂ等が実装されている。
【００３３】
ロジック系部品実装領域４３には、記録装置１０の駆動制御を行う制御用プログラムが格納されたＲＯＭ、ＣＰＵ等のロジック系部品が実装される。ロジック系部品実装領域４３の近傍の記録装置１０の背面（後部シールドプレート３５）には、インターフェイス部４４が配設される。インターフェイス部４４は、第１のインターフェイス４４ａ、第２のインターフェイス４４ｂ、第３のインターフェイス４４ｃより構成される。
【００３４】
メイン基板４０のロジック系部品実装領域４３には、従来より、第１のプログラム用コネクタ４１ａが配設されている。第１のプログラム用コネクタ４１ａは、ＲＯＭ等、記録装置１０のメモリに格納された制御用プログラムにアクセスするために外部機器と記録装置１０のメモリとをＣＰＵを介して接続するコネクタである。
【００３５】
前述したように、記録装置１０は、ＲＯＭ等のメモリに格納された制御用プログラムにより駆動制御される。この制御用プログラムにバグ等の障害が発生すると、記録装置１０は正常に作動しなくなり、デバッグ等の制御用プログラムのアクセス作業の実施が必要である。例えば、従来の記録装置（プリンタ）におけるデバッグ処理では、先ず、プリンタの本体機器が分解され、メイン基板４０が本体機器より取り出される。次に、プリンタの本体機器の外にメイン基板４０が設置され、メイン基板４０がプリンタの本体機器と接続された後、ＩＣＥ（Ｉｎ  Ｃｉｒｃｕｉｔ  Ｅｍｕｌａｔｏｒ）、ＩＣＤ（Ｉｎ  Ｃｉｒｃｕｉｔ  Ｄｅｂｕｇｇｅｒ）等のデバッグ用機器（外部機器）が第１のプログラム用コネクタ４１ａと接続された状態で、従来の制御用プログラムのデバッグ処理は行われていた。
【００３６】
なお、メイン基板４０のコネクタ領域４１、パワー系部品実装領域４２、ロジック系部品実装領域４３に実装された各種部品は、メイン基板４０に設けられた図示しない回路パターンを介して接続されている。また、メイン基板４０は、下部シールドプレート３６の上方向に、下部シールドプレート３６から所定の間隔を有してプリンタ１０の底部１９（筺体部）に取り付けられる。
【００３７】
図４に示すメイン基板４０の左隣りには、電源基板５０が水平方向に配設されている。電源基板５０は、各種の電源の１次側部品により構成される電源の１次側部品郡５１を含む。電源の１次側部品は、安全規格上、所定の取り付け基準が定められており、電源の１次側部品群５１を含む電源基板５０は、当該基準を満たした状態で記録装置１０の底部１９に取り付けられる。
【００３８】
図５は、図４から、メイン基板４０と電源基板５０を取り外した記録装置１０の下部シールドプレート３６とその周辺付近を示す斜視図である。図５の中央付近は、前述した下部シールドプレート３６で覆われ、下部シールドプレート３６は、記録装置１０の筺体部を構成する底部１９上に固定されている。
【００３９】
下部シールドプレート３６には、メイン基板４０を固定する六つのメイン基板固定部３６ａ、３６ａ、３６ａ、３６ａ、３６ａ、３６ａと、電源基板５０を固定する六つの電源基板固定部３６ｂ、３６ｂ、３６ｂ、３６ｂ、３６ｂ、３６ｂが設けられている。メイン基板４０は、メイン基板固定部３６ａ、３６ａ、３６ａ、３６ａ、３６ａ、３６ａにネジにて固定され、記録装置１０に取り付けられている。同様に、電源基板５０は、電源基板固定部３６ｂ、３６ｂ、３６ｂ、３６ｂ、３６ｂ、３６ｂにネジにて固定され、記録装置１０の底部１９に取り付けられている。
【００４０】
次に、本発明の特徴部分を構成する第１のプログラム用コネクタ４１ａと第２のプログラム用コネクタ４１ｂについて、図４を参照して詳細に説明する。
【００４１】
本発明の第１の実施形態に係る記録装置１０のメイン基板４０には、第１のプログラム用コネクタ４１ａと第２のプログラム用コネクタ４１ｂが配設されている。第１のプログラム用コネクタ４１ａは、従来より、ロジック系部品実装領域４３に配設され、記録装置１０のメモリに格納された制御用プログラムにアクセスするために外部機器と記録装置１０のメモリとをＣＰＵを介して接続するコネクタとして使用されてきた。
【００４２】
これに対し、本実施形態に係る特徴部分を形成する第２のプログラム用コネクタ４１ｂは、メイン基板４０に設けられたコネクタ領域４１に配設されている。コネクタ領域４１は、前述したように、シールドケース３０の外側に配設されており（図３参照）、記録装置１０から下部ハウジング１４を取り外せば、記録装置１０の機器本体１５を分解することなく、機器本体１５がシールドケース３０の上方向に載置された状態のままでも、外部機器を第２のプログラム用コネクタ４１ｂに接続することが可能である（図２参照）。  
このように、記録装置１０の制御用プログラムにアクセス可能な第２のプログラム用コネクタ４１ｂをメイン基板４０のコネクタ領域４１に配置することにより、従来は、記録装置１０の機器本体１５が分解された上で実施されていたデバッグ等の制御用プログラムのアクセス作業を、機器本体１５を分解することなく記録装置１０から下部ハウジング１４を取り外すのみで、実施可能とした。これにより、従来、電子機器が設置されている場所で実施することは困難であった制御用プログラムのアクセス作業を、電子機器が設置されている場所で実施することが可能となり、迅速な制御用プログラムのアクセス作業の提供を実現することができる。すなわち、制御用プログラムの不具合に対応する処置を、現場で即時に実施可能とすることにより、電子機器を使用するユーザに高い満足感を与えることができる。特に、ユーザが企業等の場合、不具合に対応する処置を早急に要求されることが多いので、本発明により、迅速な制御用プログラムのアクセス作業の提供を実施できるので、ユーザである企業等から、更に高い評価を受けることが可能となる。
【００４３】
なお、本実施形態においては、第２のプログラム用コネクタ４１ｂは、メイン基板４０に設けられたコネクタ領域４１に配置されていたが、その配置はこれに限定されるものではなく、機器本体１５が記録装置１０の筺体部（底部１９）に載置された状態で外部機器と接続可能な位置であれば、他の位置への配置であっても当然よい。
【００４４】
また、図１に示すように、下部ハウジング１４（筺体部）の前面に一点破線で示す開閉部１４ａを配設して、第２のプログラム用コネクタ４１ｂを外部機器と接続可能にすることでもよい。これにより、下部ハウジング１４を取り外すことなく、更に、容易に外部機器を第２のプログラム用コネクタ４１ｂに接続することが可能となる。すなわち、開閉部１４ａを閉めた通常の記録装置１０の使用時は、第２のプログラム用コネクタ４１ｂは外部機器と接続可能な状態ではないが、開閉部１４ａを開ければ第２のプログラム用コネクタ４１ｂは外部機器と接続可能となる。筺体部に開閉部１４ａを設けることにより、記録装置１０の外観デザインを損なうことなく、本発明の実施が可能である。
【００４５】
次に、本発明の第２の実施形態について図６を参照して説明する。図６は、本発明の第２の実施形態に係る記録装置２１０の背面（外観）を示す平面図である。なお、第２の実施形態に係る記録装置２１０の構成は、基本的に第１の実施形態に係る記録装置１０の構成と同じであるので、記録装置２１０は、記録装置１０の各構成を有し、記録装置２１０各構成には記録装置１０の各構成に対応する符号をつけるものとする。
【００４６】
本発明の第２の実施形態に係る記録装置２１０は、記録装置１０と同様に、上部ハウジング２１３、下部ハウジング２１４等により構成される筺体部、図示しない機器本体、メイン基板、制御用プログラムが格納されたメモリ等を有している。記録装置２１０の背面中央下付近には、記録装置１０と同様に、後部シールドプレート２３５が配設され、後部シールドプレート２３５の左部分には、インターフェイス部２４４（第１のインターフェイス２４４ａ、第２のインターフェイス２４４ｂ、第３のインターフェイス２４４ｃ）が配設される。
【００４７】
後部シールドプレート２３５の左上端部には、本実施形態の特徴部分を形成する第３のプログラム用コネクタ２４１ｃが配設されている。なお、この第３のプログラム用コネクタ２４１ｃが記録装置２１０の背面に設けられていることを除き、その他の記録装置２１０の各構成は記録装置１０のそれと同じであるので、その説明は省略する。
【００４８】
第３のプログラム用コネクタ２４１ｃは、第１の実施形態に係る第１、第２のプログラム用コネクタ４１ａ、４１ｂと同様に、記録装置２１０のメモリに格納された制御用プログラムにアクセスするために外部機器と記録装置２１０のメモリとをＣＰＵを介して接続するコネクタである。通常の記録装置２１０使用時は、第３のプログラム用コネクタ２４１ｃへの誤用アクセス防止と、ほこり等の進入を防ぐ目的で、第３のプログラム用コネクタ２４１ｃには図示しないカバーが被せられている。
【００４９】
本実施形態に係る記録装置２１０は、その背面に第３のプログラム用コネクタ２４１ｃを備えるので、第３のプログラム用コネクタ２４１ｃへのアクセスは極めて容易となる。すなわち、従来は、記録装置２１０の機器本体を分解した上で実施されていたデバッグ等の制御用プログラムのアクセス作業を、記録装置２１０の機器本体を分解することなく実施することが可能である。
【００５０】
これにより、従来、電子機器が設置されている場所で実施することは困難であった制御用プログラムのアクセス作業を、電子機器が設置されている場所で実施することが更に容易となり、迅速な制御用プログラムのアクセス作業の提供を実現することができる。すなわち、第１の実施形態と同様に、制御用プログラムの不具合に対応する処置を、現場で即時に実施可能とすることにより、電子機器を使用するユーザに高い満足感を与えることができる。特に、ユーザが企業等の場合、不具合に対応する処置を早急に要求されることが多いので、本実施形態により、迅速な制御用プログラムのアクセス作業の提供を実施できるので、ユーザである企業等から、更に高い評価を受けることが可能となる。
【００５１】
なお、本実施形態においては、記録装置２１０の背面に第３のプログラム用コネクタ２４１ｃを配置したが、その配置は記録装置２１０の背面に限定されるものではなく、記録装置２１０の前面、側面等に配置しても当然よい。
【００５２】
本発明の第１、第２の実施形態においては、記録装置１０、２１０ついて説明したが、前述した実施形態は特許請求の範囲にかかる発明を限定するものではなく、また実施形態の中で説明されている特徴の組み合わせの全てが発明の解決手段に必須であるとは限らない。
【００５３】
また、本発明に係る電子機器におけるコネクタの配置構造の例として、記録装置１０、２１０の制御用プログラムのアクセス（補修）作業の際に使用されるプログラム用コネクタの配置構造について説明したが、当該コネクタは制御用プログラムの補修用のアクセスに限定されるものではなく、電子機器のメモリに格納された制御用プログラムにアクセスするものであれば、制御プログラムのカスタマイズや新たなプログラムの追加等の目的でアクセスするものであってもよく、このようなアクセスをするための電子機器におけるコネクタの配置構造であってもよい。
【産業上の利用可能性】
【００５４】
電子機器として記録装置１０、２１０を例に説明したが、筺体部と、筺体部に配置される基板と、基板上に設けられ制御用プログラムが格納されたメモリと、制御用プログラムにアクセスするために外部機器とメモリとをＣＰＵを介して接続するコネクタと、基板を略覆うように筺体部に載置され、この状態で制御用プログラムにより駆動制御される機器本体とを含む電子機器における当該コネクタの配置構造であれば、電話機、ファクシミリ等における当該コネクタの配置構造、または、当該配置構造を備えた電話機、ファクシミリ等であっても適用することができる。
【図面の簡単な説明】
【００５５】
【図１】本発明の第１の実施形態に係る記録装置１０の外観を示す正面斜視図である。
【図２】記録装置１０から上部カバー１２、上部ハウジング１３および下部ハウジング１４を取り外した記録装置１０の機器本体１５を示す斜視図である。
【図３】図２からさらに、本体部１１、本体上部１６等の機器本体１５を取り外した記録装置１０のシールドケース３０とその周辺部を示す斜視図である。
【図４】図３から、上部シールドプレート３１と前部シールドプレート３２を取り外した記録装置１０のメイン基板４０と電源基板５０及びその周辺付近を示す斜視図である。
【図５】図４から、メイン基板４０と電源基板５０を取り外した記録装置１０の下部シールドプレート３６とその周辺付近を示す斜視図である。
【図６】本発明の第２の実施形態に係る記録装置２１０の背面（外観）を示す平面図である。
【符号の説明】
【００５６】
１０  記録装置、１１  本体部、１２  上部カバー、１３  上部ハウジング、１４  下部ハウジング、１５  機器本体、１６  本体上部、１７  本体前部、１８  挿入口、１９  底部、２０  記録部、２１  搬送部、２２  被記録物押え部、２３  磁気データ読取部、２４  プラテン部、２５  リボンカセット、３０  シールドケース、３１  上部シールドプレート、３２  前部シールドプレート、３３  右側面シールドプレート、３４  左側面シールドプレート、３５  後部シールドプレート、３６  下部シールドプレート、３６ａ  メイン基板固定部、３６ｂ  電源基板固定部、４０  メイン基板、４１  コネクタ領域、４１ａ  第１のプログラム用コネクタ、４１ｂ  第２のプログラム用コネクタ、４２  パワー系部品実装領域、４３  ロジック系部品実装領域、４４  インターフェイス部、５０  電源基板、５１  電源の１次側部品群、１００  被記録物、１１０  磁気ストライプ、２１０  記録装置、２１３  上部ハウジング、２１４  下部ハウジング、２３５  後部シールドプレート、２４１ｃ  第３のプログラム用コネクタ、２４４  インターフェイス部
【図１】
2005251464.tif 000003
【図２】
2005251464.tif 000004
【図３】
2005251464.tif 000005
【図４】
2005251464.tif 000006
【図５】
2005251464.tif 000007
【図６】
2005251464.tif 000008